(57)【要約】【課題】購入者の興味を掻き立てるような、耳かき商品の形態ならびに商品パッケージを提供する。【解決手段】耳かきの柄の部分に２つの中抜き絵柄が耳かきの長手方向に並設された耳かきと、顔イメージが設けられた耳かきの収納ケースとを備え、顔イメージに掛ける眼鏡レンズのように、耳かきの中抜き絵柄を配置し、耳かきを収納ケースに取り付ける。２つの中抜き絵柄が耳かきの長手方向に並設され、顔イメージの両目付近に重ねることで、視覚的に耳かきの柄の部分を眼鏡フレームのように感じさせることができる。購入者は、顔イメージに眼鏡がかけられている様子をイメージし、商品自体が眼鏡ではなく耳かきであるといった驚きから、興味が掻き立てられることになる。【選択図】図１
2014046168.tif 000002
【特許請求の範囲】
【請求項１】
耳かきの柄の部分に２つの中抜き絵柄が耳かきの長手方向に並設された耳かきと、
顔イメージが設けられた耳かきの収納ケースと、
を備え、
前記顔イメージに掛ける眼鏡レンズのように前記中抜き絵柄が配置され、耳かきが収納ケースに取り付けられた、ことを特徴とする耳かきグッズ。
【請求項２】
前記中抜き絵柄が、リング状絵柄もしくは中抜きの多角形状絵柄であることを特徴とする請求項１に記載の耳かきグッズ。
【請求項３】
前記中抜き絵柄の１つは、柄の端部を形成することを特徴とする請求項１又は２に記載の耳かきグッズ。
【請求項４】
前記収納ケースは、顔イメージが設けられた耳かきを取り付ける中台紙と、該中台紙を囲む収納具とから成り、
前記収納具の表面の一部が刳り貫かれて、
前記中台紙に設けられた顔イメージを前記収納具の刳り貫かれた部分から見通せることを特徴とする請求項１〜３のいずれかに記載の耳かきグッズ。
【請求項５】
前記耳かきの柄の部分の厚みは、中抜き絵柄部分とそれ以外の部分で均一に形成されていることを特徴とする請求項１〜４のいずれかに記載の耳かきグッズ。
【発明の詳細な説明】
【技術分野】
【０００１】
本発明は、購入者の興味を掻き立てるような、耳かき商品の形態ならびに商品パッケージに関するものである。
【背景技術】
【０００２】
耳かき具は、耳垢を取る用具として、耳垢のかき取り部が竹や金属でスプ−ン状に形成されたものなどが知られている。また、耳かきの柄の部分に綿毛を設けたものや、柄の部分に耳かきを収納できるもの（特許文献１）などが市場で販売されている。
また、耳かきの柄を破魔矢にしたものや、耳かきの柄に装飾品を取り付けたものや、耳かきの柄の部分にマスコット人形を取り付けて、購入者の興味を掻き立てる耳かきが市場で販売されている。
【先行技術文献】
【特許文献】
【０００３】
【特許文献１】特開２００６−１４９１８号公報
【発明の概要】
【発明が解決しようとする課題】
【０００４】
上述の如く、耳かきの柄の部分を工夫した様々な耳かきが市場にて販売されている。
しかしながら、購入者の購入意欲を喚起するような斬新なデザイン性に優れた耳かきが少ないのが現状である。
上記状況に鑑みて、本発明は、購入者の興味を掻き立てるような、耳かき商品の形態ならびに商品パッケージを提供することを目的とする。
【課題を解決するための手段】
【０００５】
本発明者はデザイナーであり、某眼鏡メーカーと協業し、眼鏡フレームに用いられる軽量で丈夫な素材を耳かきの材料として用い、デザイン性に優れた耳かきを開発し、購入者の興味を掻き立てるような、耳かき商品の形態ならびに商品パッケージを開発した。
【０００６】
すなわち、上記目的を達成すべく、本発明は、耳かきグッズは、耳かきの柄の部分に２つの中抜き絵柄が耳かきの長手方向に並設された耳かきと、顔イメージが設けられた耳かきの収納ケースとを備える。
そして、顔イメージに掛ける眼鏡レンズのように、耳かきの中抜き絵柄が配置され、耳かきが収納ケースに取り付けられる。
顔イメージが設けられた耳かきの収納ケースとは、台紙に顔イメージを設けて箱や袋で台紙を取り囲むものや、箱状の容器の表面に顔イメージを設けるものや、台紙のみで顔イメージが描かれたものを含む。
【０００７】
耳かきの柄の部分に２つの中抜き絵柄が耳かきの長手方向に並設され、顔イメージの両目付近に重ねることで、視覚的に耳かきの柄の部分を眼鏡フレームのように感じさせることができる。
これにより、購入者は、本発明の耳かきグッズを見た際に、顔イメージに眼鏡がかけられている様子をイメージし、商品自体が眼鏡ではなく耳かきであるといった驚きから、興味が掻き立てられることになる。
【０００８】
ここで、耳かきの柄の部分に並設された中抜き絵柄は、リング状絵柄もしくは中抜きの多角形状絵柄である。本来の眼鏡のフレームのように、様々な形態が可能である。リング状絵柄は、円形や楕円形や扁平したリングでもよい。また、中抜きの多角形状絵柄は、三角形、四角形など様々な多角形形状で、中抜きのものであればよい。また、中抜きの輪郭形状と外側の輪郭形状が異なってもよい。また、並設される各々の中抜き絵柄の形状が異なってもよい。
【０００９】
また、耳かきの中抜き絵柄の１つは、柄の端部を形成することがより良い。中抜き絵柄をより目立たせることができ、耳かきのデザイン性を向上できる。
【００１０】
また、耳かきの収納ケースは、顔イメージが設けられた耳かきを取り付ける中台紙と、該中台紙を囲む収納具とから成り、収納具の表面の一部が刳り貫かれている。収納具の表面の一部が刳り貫かれていることで、購入者は、中台紙に設けられた顔イメージを刳り貫かれた部分から見通せることができる。
これにより、購入者は、本発明の耳かきグッズを見た際に、顔イメージに眼鏡がかけられている様子を鮮明にイメージすることになる。
【００１１】
また、耳かきの柄の部分の厚みは、中抜き絵柄部分とそれ以外の部分で均一に形成されていることが好ましい。
耳かきの柄の部分の厚みを、中抜き絵柄部分を含めて柄の部分全体で均一にすることで、商品パッケージの収納部分を薄くでき、商品パッケージの厚みを薄くできる。
【発明の効果】
【００１２】
本発明によれば、眼鏡といったモチーフを醸し出し、デザイン性に優れ、購入者の興味を掻き立てることができるといった効果を有する。
【図面の簡単な説明】
【００１３】
【図１】実施例１の耳かきの構造図
【図２】実施例１の柄の部分の表面デザインの一例
【図３】実施例１の収納ケースの中台紙の構造図
【図４】実施例１の収納ケースの収納具の構造図
【図５】実施例１の中台紙に耳かきを取り付けイメージ図
【図６】実施例１の中台紙に耳かきを取り付け収納具内に収納したイメージ図
【図７】その他の顔イメージ
【発明を実施するための最良の形態】
【００１４】
以下、本発明の実施形態について、図面を参照しながら詳細に説明していく。なお、本発明の範囲は、以下の実施例や図示例に限定されるものではなく、幾多の変更及び変形が可能である。
【実施例１】
【００１５】
図１は、実施例１の耳かきグッズにおける耳かきの構造図を示している。図１（１）は耳かきの平面図であり、図１（２）は耳かきの正面図であり、図１（３）は耳かきの軸芯部の平面図である。
図１（１）に示すように、実施例１の耳かき１は、耳かきの柄２の部分に２つの中抜き絵柄のリング（３ａ，３ｂ）が耳かきの長手方向に並設されている。２つのリング（３ａ，３ｂ）の間には少し間隔が設けられ、柄の部分が延長されている（柄の延長部４）。
軸芯６を囲む柄２の部分とリング３と柄の延長部４は一体成型されている。
耳かきの軸芯６（耳かき部５を含む）はチタン金属から成り、また軸芯６を囲む柄（２，３，４）の部分はセルロースアセテートから成る。軸芯部分を後から挿入できるように柄（２，３，４）の部分を一体成型し、軸芯部分を後から柄の部分に挿入する。耳かきの軸芯や柄の部分の材質は、その他の金属や樹脂でも構わない。また、軸芯部分と柄の部分が同じ材質で、軸芯部分を柄の部分に後から挿入するのではなく、軸芯部分と柄の部分を一体成型してもよい。
【００１６】
図２は、実施例１の柄の部分の表面デザインの一例である（図２（１）は平面図、図２（２）は正面図）。
【００１７】
図３は、実施例１の中台紙の構造図である。また、図４は、実施例１の収納具の構造図である。
収納ケースは、図３に示すように顔イメージ９と耳かきの柄の固定具の通し孔８が設けられ、耳かきを取り付ける中台紙７と、図４に示すような中台紙７を囲んで収納できる収納具１０とから構成される。
図４に示すように、収納具１０の表面の一部は刳り貫かれ、刳り貫き孔１１が設けられている。刳り貫き孔１１によって、中台紙７に設けられた顔イメージ９を刳り貫かれた部分から見通すことができる。
【００１８】
図５は、実施例１の中台紙に耳かきを取り付けイメージ図である。また、図６は、実施例１の中台紙に耳かきを取り付け収納具内に収納したイメージ図である。
図５に示すように、耳かきの柄の部分の２つのリング（３ａ，３ｂ）を、顔イメージ９の両目付近に重ねることで、視覚的に耳かきの柄の部分を眼鏡フレームのように感じさせることができる。
２箇所の通し孔８に屈曲性のある金属や紐部材から成る固定具を用いて、耳かきの柄の部分が中台紙７に取り付けられている。
中台紙７に耳かきを取り付け、収納具１０内に収納して商品パッケージにする。
図６に示すように、購入者は、実施例１の耳かきグッズの商品パッケージを見た際に、顔イメージに眼鏡がかけられている様子をイメージし、その後、中身の商品自体が眼鏡ではなく耳かきであるといった驚きから、興味が掻き立てられることになる。
【００１９】
図７（１）〜（３）は、様々な顔イメージの一例である。図７（２）は顔イメージ９の両目の位置から故意に耳かきの柄の部分の２つのリングの位置をずらしている。片手で把持する老眼鏡（リーディンググラス）をイメージしたものである。
【００２０】
（その他の実施例）
（１）実施例１では顔イメージを実写風にしているが、写真や漫画のキャラクターの顔イメージでも構わない。また、人間でなく動物や想像上のキャラクターでも良い。
（２）実施例１では、２つの中抜き絵柄のリングの一方を柄の端部にしているが、柄の途中に並設しても構わない。
（３）実施例１では、収納ケースを中台紙と収納具で構成しているが、中台紙だけも構わない。また、中台紙をナイロン製などの袋に包み、顔イメージの部分だけが透明で外から見通せるようにしても構わない。
（４）実施例１では、２つの中抜き絵柄がリングであったが、各種の眼鏡のフレームに合せたものや、２つが異なる形状の中抜き絵柄でも構わない。
（５）実施例１では、２つの中抜き絵柄のリングが、耳かきの長手方向で、軸芯の軸方向とリングの中心が重なるように形成されているが、軸芯の軸方向から多少、リングの中心がずれても構わない。
【産業上の利用可能性】
【００２１】
本発明は、デザイン性に優れた耳かきとして有用である。
【符号の説明】
【００２２】
１  耳かき
２  柄
３，３ａ，３ｂ  リング
４  柄の延長部
５  耳かき部
６  軸芯
７  中台紙
８  耳かきの柄の固定具の通し孔
８ａ，８ｂ  固定具
９  顔イメージ
１０  収納具
１１  刳り貫き孔
１２  のりしろ部
【図１】
2014046168.tif 000003
【図２】
2014046168.tif 000004
【図３】
2014046168.tif 000005
【図４】
2014046168.tif 000006
【図５】
2014046168.tif 000007
【図６】
2014046168.tif 000008
【図７】
2014046168.tif 000009